(57)【要約】【課題】スクロール表示するときの視認性の向上をはかり、内容を読み取るための負担軽減をはかる。【解決手段】画面が持つ表示領域に１回で表示可能な情報量に比べて大きな情報量を持つ文書を、スクロールキーを操作することで行単位または列単位でスクロールさせ表示可能な携帯端末装置は、スクロールキーの操作により更新され新しく画面に表示する内容を識別表示領域として表示し、スクロールキーの操作による連続的なスクロール操作を検出した場合、該連続的なスクロール操作により表示内容が更新される度に、該更新により新たに表示される内容を識別表示領域に加えて表示する。【選択図】  図２
2011165205.tif 000002
【特許請求の範囲】
【請求項１】
画面が持つ表示領域に１回で表示可能な情報量に比べて大きな情報量を持つ文書を、スクロールキーを操作することによって行単位または列単位でスクロールさせ表示可能な携帯端末装置であって、
前記スクロールキーの操作により更新され新しく画面に表示される内容を識別表示領域として表示する表示制御手段を備え、
前記表示制御手段は、前記スクロールキーの操作による連続的なスクロール操作を検出した場合、該連続的なスクロール操作により前記表示内容が更新される度に、該更新により新たに表示される内容を前記識別表示領域に加えて表示するよう制御する、
ことを特徴とする携帯端末装置。
【請求項２】
画面が持つ表示領域に１回で表示可能な情報量に比べて大きな情報量を持つ文書を、スクロールキーを操作することによって行単位または列単位でスクロールさせ表示可能な携帯端末装置のスクロール制御方法であって、
前記スクロールキーの操作により、設定されている行数または列数に従い、その表示内容を更新して前記表示領域の内容をスクロールする工程と、
前記スクロールキーの操作により更新され新しく画面に表示される内容を識別表示領域として表示する工程と、を有し、
前記識別表示領域を表示する工程は、
前記スクロールキーの操作による連続的なスクロール操作を検出した場合、該連続的なスクロール操作により前記表示内容が更新される度に、該更新により新たに表示される内容を前記識別表示領域に加えて表示する、
ことを特徴とする携帯端末装置のスクロール制御方法。
【請求項３】
画面が持つ表示領域に一回で表示可能な情報量に比べて大きな情報量を持つ文書を、スクロールキーを操作することによって行単位または列単位でスクロールさせ表示可能な携帯端末装置のスクロール制御プログラムであって、
前記スクロールキーの操作により、設定されている行数または列数に従い、その表示内容を更新して前記表示領域の内容をスクロールする表示内容更新ステップと、
前記スクロールキーの操作により更新され新しく画面に表示される内容を識別表示領域として表示する表示制御ステップと、をコンピュータに実行させ、
前記表示制御ステップは、
前記スクロールキーの操作による連続的なスクロール操作を検出した場合、該連続的なスクロール操作により前記表示内容が更新される度に、該更新により新たに表示される内容を前記識別表示領域に加えて表示するように制御する、
ことを特徴とする携帯端末装置のスクロール制御プログラム。
【発明の詳細な説明】
【技術分野】
【０００１】
本発明は、画面が持つ表示領域に一回で表示可能な情報量に比べて大きな情報量を持つ文書を、スクロールキーを操作することによって行単位でスクロールさせ表示可能な、携帯端末装置、携帯端末装置のスクロール制御方法、および携帯端末装置のスクロール制御プログラムに関する。
【背景技術】
【０００２】
通常、携帯端末装置が持つ画面表示容量は小さく、長文のテキスト情報等の文書については行単位でスクロールすることにより画面表示を行い、全体を閲覧することができるようになっている。
【０００３】
また、そのときの操作性の向上をはかるために、機種によっては１回のスクロールキーの操作により一度にスクロールさせる行数を設定させることのできる携帯端末も出現している。図６にその例が示されており、（ａ）に全体文書を、（ｂ）に、３行、５行のスクロール行数が設定されたときのスクロール操作による画面遷移の例が示されている。
【０００４】
また、現在表示されている文字と次に表示する新規の文字とを区別するために、現在表示されている文字に新規の文字を一定の文字数ずつ上書きし、新規の文字と現在表示されている文字との間にブランク部を設けているものもある（例えば、特許文献１参照。）。
【先行技術文献】
【特許文献】
【０００５】
【特許文献１】特開２００１−３５０５５４号公報
【発明の概要】
【発明が解決しようとする課題】
【０００６】
上記したスクロール機能により、図６（ｂ）に示されるように、画面中に、それまでに表示されていた表示領域の一部内容（旧表示領域）と、スクロール操作により、新たに表示される表示領域の一部内容（新表示領域）が混在表示されることになる。
【０００７】
従って、ユーザは、旧表示領域と新表示領域の内容の境界を認識することが困難となり、内容を読み取るために時間がかかる。最近では、ＣＰＵの性能向上に伴いスクロールのための処理速度が速くなっており、１操作でスクロール行数が多数設定された場合にこの現象は顕著に現れる。
【０００８】
本発明は上記事情に鑑みてなされたものであり、スクロール機能により長文のテキスト情報等を表示する場合、画面上に混在表示される旧表示領域の内容と新表示領域の内容との境界をユーザが容易に認識できるような表示加工を施すことにより、視認性の向上をはかり、内容を読み取るための負担軽減をはかった携帯端末装置、携帯端末装置のスクロール制御方法、および携帯端末装置のスクロール制御プログラムを提供することを目的とする。
【課題を解決するための手段】
【０００９】
上記した課題を解決するために本発明は、画面が持つ表示領域に１回で表示可能な情報量に比べて大きな情報量を持つ文書を、スクロールキーを操作することによって行単位または列単位でスクロールさせ表示可能な携帯端末装置であって、前記スクロールキーの操作により更新され新しく画面に表示される内容を識別表示領域として表示する表示制御手段を備え、前記表示制御手段は、前記スクロールキーの操作による連続的なスクロール操作を検出した場合、該連続的なスクロール操作により前記表示内容が更新される度に、該更新により新たに表示される内容を前記識別表示領域に加えて表示するよう制御する、ことを特徴とする。
【００１０】
本発明によれば、表示制御手段が、スクロールキーの１回の操作により直前に表示されていた旧表示領域の内容と、スクロールキーの１回の操作により更新され表示される新表示領域の内容の境界とを視認させるための識別表示領域の表示を行うことにより、ユーザは、画面上に混在表示される旧表示領域の内容と新表示領域の内容との境界を容易に認識でき、内容を読み取るための負担が軽減される。
【００１１】
上記した課題を解決するために本発明は、画面が持つ表示領域に１回で表示可能な情報量に比べて大きな情報量を持つ文書を、スクロールキーを操作することによって行単位または列単位でスクロールさせ表示可能な携帯端末装置のスクロール制御方法であって、前記スクロールキーの操作により、設定されている行数または列数に従い、その表示内容を更新して前記表示領域の内容をスクロールする工程と、前記スクロールキーの操作により更新され新しく画面に表示される内容を識別表示領域として表示する工程と、を有し、前記識別表示領域を表示する工程は、前記スクロールキーの操作による連続的なスクロール操作を検出した場合、該連続的なスクロール操作により前記表示内容が更新される度に、該更新により新たに表示される内容を前記識別表示領域に加えて表示する、ことを特徴とする。
【００１２】
上記した課題を解決するために本発明は、画面が持つ表示領域に一回で表示可能な情報量に比べて大きな情報量を持つ文書を、スクロールキーを操作することによって行単位または列単位でスクロールさせ表示可能な携帯端末装置のスクロール制御プログラムであって、前記スクロールキーの操作により、設定されている行数または列数に従い、その表示内容を更新して前記表示領域の内容をスクロールする表示内容更新ステップと、前記スクロールキーの操作により更新され新しく画面に表示される内容を識別表示領域として表示する表示制御ステップと、をコンピュータに実行させ、前記表示制御ステップは、前記スクロールキーの操作による連続的なスクロール操作を検出した場合、該連続的なスクロール操作により前記表示内容が更新される度に、該更新により新たに表示される内容を前記識別表示領域に加えて表示するように制御する、ことを特徴とする。
【発明の効果】
【００１３】
以上説明のように本発明によれば、スクロールキーの１回の操作により直前に表示されていた旧表示領域の内容と、スクロールキーの１回の操作により更新され表示される新表示領域の内容の境界とを視認させるための識別表示領域の表示を行うことにより、ユーザは、画面上に混在表示される旧表示領域の内容と新表示領域の内容との境界を容易に認識でき、内容を読み取るための負担が軽減される。
【００１４】
また、所定時間の経過、もしくは、新たなスクロールキーの操作を検出することにより上記した識別表示領域の表示を解除することで、ユーザがその識別表示領域を見て内容を確認した後にその識別表示領域を消滅させることができ、更に、所定時間よりは少ない、ある時間内に連続的にスクロール操作を行ったことを検出したときに、新たなスクロールキー操作の検出を行ったことによる識別表示領域の表示の解除を無効にすることで、それまでの表示がすぐに消えることはなく所定時間各表示が残るため、ユーザはその内容を読み取ることができる。
【図面の簡単な説明】
【００１５】
【図１】本発明の携帯端末装置の内部構成をブロックで示した図である。
【図２】図１に示す画面表示部とその周辺構成の詳細を示す図である。
【図３】本発明の携帯端末装置のスクロール制御方法を示すフローチャートである。
【図４】本発明の携帯端末装置に表示される識別表示の一例を示す図である。
【図５】本発明の携帯端末装置に表示される識別表示の一例を示す図である。
【図６】従来のスクロール表示の画面構成の一例を示す図である。
【発明を実施するための形態】
【００１６】
図１に、本発明の携帯端末装置の内部構成がブロック図で示されている。本発明の携帯端末装置は、主制御部１を制御中枢として、画面表示部２、音声出力部３、音声入力部４、キー操作部５、無線通信部６、着信通知部７、時計・タイマ部８、メモリ部９で構成され、無線基地局１０を経由して通信網１１に接続される。
【００１７】
画面表示部２は、主制御部１と協動して本発明のスクロール制御方法を実現するブロックであり、キー操作部５を介して設定されるスクロールキーの１回の操作によってスクロールされる行数に従いその表示内容を更新し、スクロールキーの１回の操作により直前に表示されていた旧表示領域の内容と、更新され表示される新表示領域の内容の境界とを視認させるための識別表示を行う。詳細は図２を使用して説明する。
【００１８】
音声出力部３、音声入力部４は、携帯端末としての通話を司るブロックである。また、キー操作部５は、上記したスクロールキー操作等、ユーザ操作を検出して主制御部１に転送するブロックである。
【００１９】
一方、無線通信部６は、通話内容、あるいは送受信されるデータを変復調して無線基地局１０との間のインタフェースを司る。また、着信通知部７は、サウンドや、バイブレータ等によりユーザに着信を通知するブロックである。
【００２０】
時計・タイマ部８は、時計機能、あるいはプログラムマブルに設定される時間値を計測して管理するブロックであり、本発明と関係するところでは、識別表示解除用時間、連続操作判別用時間が設定され、それぞれを監視して主制御部１に通知する。詳細は後述する。
【００２１】
メモリ部９には、主制御部１が実行するプログラムが記録される他、作業領域としても使用され、あるいは画面表示部２が使用する表示メモリをマッピングしてもよい。
【００２２】
図２は、図１に示される画面表示部の内部構成をその周辺構成と共に示したブロック図である。図中、図１と同一番号が付されたブロックは、図１に示すそれと同じとする。
【００２３】
画面表示部２は、表示メモリ２１、表示内容更新部２２、表示制御部２３、表示モニタ２４で構成される。
【００２４】
表示メモリ２１には主制御部１により表示内容が書き込まれ、例えば、液晶等の表示モニタ２４の表示領域に相当する記憶容量を有する。
【００２５】
表示内容更新部２２は、内部バス２０を介して主制御部１に接続され、主制御部１の制御に基づき、キー操作部５を介して到来するスクロールキーの１回の操作によってスクロールされる設定行数に従い、その表示内容を更新して表示領域の内容をスクロールする機能を持つ。
【００２６】
表示制御部２３もまた、内部バス２０を介して主制御部１に接続され、主制御部１の制御に基づき、スクロールキーの１回の操作により直前に表示されていた旧表示領域の内容と、スクロールキーの１回の操作により更新され表示される新表示領域の内容の境界とを視認させるための識別表示を行う機能を持つ。
【００２７】
表示制御部２３による識別表示の例としては、図４、図５に示されるように、ライン表示、マーク表示による境界表示（それぞれ、図４（ａ）、（ｂ））、あるいは一方の表示領域に対して背景色、文字色、文字フォントの変更等（それぞれ、図５（ａ）、（ｂ）、（ｃ））の表示加工処理が考えられる。このように加工処理を施すことにより、ユーザは、画面上に混在表示される旧表示領域の内容と新表示領域の内容との境界を容易に認識でき、内容を読み取ることができる。
【００２８】
表示制御部２３は、主制御部１と、時計・タイマ部８と協動して、所定時間（識別表示解除用タイマ）の経過、もしくは、新たなスクロールキーの操作を検出することにより上記した識別表示を解除する。
【００２９】
また、所定時間（識別表示解除用タイマ）よりは少ない、ある時間（連続操作判断用タイマ）内に連続的にスクロール操作を行ったことを検出したときに、新たなスクロールキー操作の検出を行ったことによる識別表示の解除を無効にする制御も行う。詳細は、図３に示すフローチャートを参照しながら説明する。  図３は、本発明の携帯端末装置によるスクロール制御方法を説明するために引用したフローチャートである。具体的には、本発明の携帯端末装置がメモリ部９に記録されたプログラムを逐次読み出して実行することにより実現される。
【００３０】
以下、図３に示すフローチャートを参照しながら図１、図２に示す本発明の携帯端末装置の動作について詳細に説明する。
【００３１】
まず、主制御部１は、キー操作部５を介したスクロールキーによるユーザのスクロール操作の有無をチェックする（Ｓ３１）。ここでスクロール操作が検出されたときに、スクロール行設定に従う表示内容更新部２２による表示メモリ２１の更新が行われる。そして、表示制御部２３によって表示メモリ２１から表示内容が読み出され、スクロール表示が行なわれる（Ｓ３２）。
【００３２】
ここでは、新しく画面に表示される部分を、背景色を変える等、他と区別して識別表示領域として表示することとする（Ｓ３３）。更に、主制御部１は、時計・タイマ部８を起動して「連続操作判断用タイマ」および「識別表示解除用タイマ」による計時をスタートさせる（Ｓ３４）。
【００３３】
ここで、「識別表示解除用タイマ」とは、ユーザが識別表示を確認して内容を読み取るまでの所定時間の経過を監視することによってその識別表示を解除するために設けられるものである。
【００３４】
また、「連続操作判断用タイマ」とは、通常は、所定時間経過することにより、あるいは新たなスクロール操作があればそれまでの識別表示を解除するが、ここに設定されるタイマ閾値よりも早く連続してスクロールキーが押下された場合それまでの識別表示がすぐに消滅してしまい、目視で追随できなくなるため、識別表示をしばらく残すために設けられる。
【００３５】
通常は、「連続操作判断用タイマ」値＜「識別表示解除用タイマ」値とし、ここでは、前者を１．０秒、後者を５．０秒としている。
【００３６】
次に、更なるスクロール操作の有無が調べられる（Ｓ３５）。ここで、スクロール操作がなされていないことが確認されると（Ｓ３５Ｎｏ）、連続操作判断用タイマのタイムアップが調べられる（Ｓ３６）。
【００３７】
ここで、タイムアップが検出された場合（Ｓ３６Ｙｅｓ）、また、新たなスクロール操作の有無が調べられる（Ｓ３７）。ここで、新たなスクロール操作がなかった場合は（Ｓ３７Ｎｏ）、識別表示解除用タイマのタイムアップが調べられ（Ｓ３８）、タイムアップに至っていた場合は（Ｓ３８Ｙｅｓ）、図４、あるいは図５に一例を示す識別表示を解除（Ｓ３９）して処理を終える。タイムアップに至っていない場合は（Ｓ３８Ｎｏ）、Ｓ３７の処理に戻る。
【００３８】
Ｓ３７において、新たなスクロール操作が検出された場合（Ｓ３７Ｙｅｓ）、通常は、それまでの認識表示領域の表示を解除するが、ここではその解除を無効とし、表示のスクロール行設定に従う表示内容更新部２２による表示メモリ２１の更新を行う。そして、表示制御部２３によって表示メモリ２１から表示内容更新部２２によって更新された表示内容が読み出され、スクロール表示が行なわれる（Ｓ４０）。
【００３９】
次に、それまでの識別表示領域を解除し、新たに画面に出現する部分を識別表示領域として表示する（Ｓ４１）。そして「連続操作判断用タイマ」および「識別表示解除用タイマ」を更新し（Ｓ４２）、Ｓ３５の処理に戻る。
【００４０】
一方、Ｓ３５の処理において、更なる新たなスクロール操作が検出された場合（Ｓ３５Ｙｅｓ）、スクロール行設定に従う表示内容更新部２２による表示メモリ２１の更新が行われる。次に、表示制御部２３によって表示メモリ２１から表示内容が読み出され、スクロール表示が行なわれる（Ｓ４３）。そして、スクロールにより新たに画面に出現する部分をそれまでの識別表示領域に加えて表示する（Ｓ４４）。最後に「連続操作判断用タイマ」および「識別表示解除用タイマ」を更新して（Ｓ４２）、Ｓ３５の処理に戻る。
【００４１】
図４、図５に識別表示の一例が示されている。図４（ａ）は、旧表示領域と新表示領域の境界に識別表示としてライン表示を行う例が示されており、ここでは、１回目のスクロールによってライン下に、設定した新しい３行が出現し、２回目のスクロールで設定された新しい５行が出現している。図４（ｂ）は、▲マークにより、識別表示を示す例である。
【００４２】
図５（ａ）は、一方の表示領域の背景色を変更する例、図５（ｂ）は、一方の表示領域の文字色を変更する例、図５（ｃ）は、一方の表示領域の文字フォントを変更する例である。
【００４３】
上述は縦方向のスクロールについて説明してきたが、横方向のスクロールを行うときには１回の操作によってスクロールされる列数を設定すれば、上述と同様に識別表示を行うことができる。
【符号の説明】
【００４４】
１…主制御部、２…画面表示部、５…キー操作部、８…時計・タイマ部、９…メモリ部、２１…表示メモリ、２２…表示内容更新部、２３…表示制御部、２４…表示モニタ
【図１】
2011165205.tif 000003
【図２】
2011165205.tif 000004
【図３】
2011165205.tif 000005
【図４】
2011165205.tif 000006
【図５】
2011165205.tif 000007
【図６】
2011165205.tif 000008
【手続補正書】
【提出日】平成23年5月10日(2011.5.10)
【手続補正１】
【補正対象書類名】特許請求の範囲
【補正対象項目名】全文
【補正方法】変更
【補正の内容】
【特許請求の範囲】
【請求項１】
スクロール操作されることで画面の表示内容をスクロールする端末装置であって、
前記スクロール操作により前記画面に新たに表示される内容を識別表示する表示制御手段を備え、
前記表示制御手段は、
所定の閾値よりも早く連続してスクロール操作が行われたことを検出した場合、当該スクロール操作を検出した際に表示していた識別表示の解除を無効にする、
ことを特徴とする端末装置。
【請求項２】
スクロール操作されることで画面の表示内容をスクロールする端末装置のスクロール制御方法であって、
前記スクロール操作により前記画面に新たに表示される内容を識別表示する工程と、を有し、
前記識別表示する工程は、
所定の閾値よりも早く連続してスクロール操作が行われたことを検出した場合、当該スクロール操作を検出した際に表示していた識別表示の解除を無効にする、
ことを特徴とする端末装置のスクロール制御方法。
【請求項３】
スクロール操作されることで画面の表示内容をスクロールする端末装置のスクロール制御プログラムであって、
前記スクロール操作により前記画面に新たに表示される内容を識別表示する表示制御ステップと、をコンピュータに実行させ、
前記表示制御ステップは、
所定の閾値よりも早く連続してスクロール操作が行われたことを検出した場合、当該スクロール操作を検出した際に表示していた識別表示の解除を無効にする、
ことを特徴とする端末装置のスクロール制御プログラム。
【手続補正３】
【補正対象書類名】明細書
【補正対象項目名】０００１
【補正方法】変更
【補正の内容】
【０００１】
本発明は、画面が持つ表示領域に一回で表示可能な情報量に比べて大きな情報量を持つ文書を、スクロールキーを操作することによって行単位でスクロールさせ表示可能な、端末装置、スクロール制御方法、およびスクロール制御プログラムに関する。
【手続補正４】
【補正対象書類名】明細書
【補正対象項目名】０００８
【補正方法】変更
【補正の内容】
【０００８】
本発明は上記事情に鑑みてなされたものであり、スクロール機能により長文のテキスト情報等を表示する場合、画面上に混在表示される旧表示領域の内容と新表示領域の内容との境界をユーザが容易に認識できるような表示加工を施すことにより、視認性の向上をはかり、内容を読み取るための負担軽減をはかった端末装置、スクロール制御方法、およびスクロール制御プログラムを提供することを目的とする。
【手続補正５】
【補正対象書類名】明細書
【補正対象項目名】０００９
【補正方法】変更
【補正の内容】
【０００９】
上記した課題を解決するために本発明は、スクロール操作されることで画面の表示内容をスクロールする端末装置であって、前記スクロール操作により前記画面に新たに表示される内容を識別表示する表示制御手段を備え、前記表示制御手段は、所定の閾値よりも早く連続してスクロール操作が行われたことを検出した場合、当該スクロール操作を検出した際に表示していた識別表示の解除を無効にする、ことを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
上記した課題を解決するために本発明は、スクロール操作されることで画面の表示内容をスクロールする端末装置のスクロール制御方法であって、前記スクロール操作により前記画面に新たに表示される内容を識別表示する工程と、を有し、前記識別表示する工程は、所定の閾値よりも早く連続してスクロール操作が行われたことを検出した場合、当該スクロール操作を検出した際に表示していた識別表示の解除を無効にする、ことを特徴とする。
【手続補正８】
【補正対象書類名】明細書
【補正対象項目名】００１２
【補正方法】変更
【補正の内容】
【００１２】
上記した課題を解決するために本発明は、スクロール操作されることで画面の表示内容をスクロールする端末装置のスクロール制御プログラムであって、前記スクロール操作により前記画面に新たに表示される内容を識別表示する表示制御ステップと、をコンピュータに実行させ、前記表示制御ステップは、所定の閾値よりも早く連続してスクロール操作が行われたことを検出した場合、当該スクロール操作を検出した際に表示していた識別表示の解除を無効にする、ことを特徴とする。